【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
棒状に形成され、長手方向の一方の端部に形成される位置決め部と長手方向の前記一方の端面に形成される光入射面とを有する導光体と、
前記導光体の長手方向の前記一方の端部に配設され、前記光入射面に光を入射する光源と、
を有し、
前記導光体は射出成形によって形成されると共に、
射出成形において樹脂材料の流入口となるゲート部は前記位置決め部の先端面に対応する位置に開口する
ことを特徴とする照明装置。
【請求項２】
前記光入射面は、前記導光体の長手方向の両方の端面に形成され、
前記光源は、前記導光体の長手方向の両方の端部に配設される
ことを特徴とする請求項１に記載の照明装置。
【請求項３】
前記ゲート部は、凹凸を備えている
ことを特徴とする請求項１又は２に記載の照明装置。
【請求項４】
前記先端面の周辺はＲ面取りまたはＣ面取りされている
ことを特徴とする請求項１乃至３のいずれか１項に記載の照明装置。
【請求項５】
棒状に形成され、長手方向の一方の端部に形成される位置決め部と長手方向の前記一方の端面に形成される光入射面とを有する導光体と、
前記導光体の長手方向の前記一方の端部に配設され、前記光入射面に光を入射する光源と、
被照明体からの反射光を集光する集光体と、
前記集光体によって集光された反射光を受光して電気信号に変換するイメージセンサと、
前記イメージセンサが実装された回路基板と、
前記導光体と、前記光源と、前記集光体と、前記回路基板とを支持するフレームと、
を有し、
前記導光体は射出成形によって形成されると共に、
射出成形において樹脂材料の流入口となるゲート部は前記位置決め部の先端面に対応する位置に開口する
ことを特徴とするイメージセンサユニット。
【請求項６】
前記光入射面は、前記導光体の長手方向の両方の端面に形成され、
前記光源は、前記導光体の長手方向の両方の端部に配設される
ことを特徴とする請求項５に記載のイメージセンサユニット。
【請求項７】
前記ゲート部は、凹凸を備えている
ことを特徴とする請求項５又は６に記載のイメージセンサユニット。
【請求項８】
前記先端面の周辺はＲ面取りまたはＣ面取りされている
ことを特徴とする請求項５乃至７のいずれか１項に記載のイメージセンサユニット。
【請求項９】
棒状に形成され、長手方向の一方の端部に形成される位置決め部と長手方向の前記一方の端面に形成される光入射面とを有する導光体と、
係合部を有し、前記係合部と前記位置決め部とが係合することにより前記導光体に位置決めされた導光体カバーと、
前記導光体の長手方向の前記一方の端部に配設され、前記光入射面に光を入射する光源と、
被照明体からの反射光を集光する集光体と、
前記集光体によって集光された反射光を受光して電気信号に変換するイメージセンサと、
前記イメージセンサが実装された回路基板と、
前記導光体カバーと、前記光源と、前記集光体と、前記回路基板とを支持するフレームと、
を有し、
前記導光体は射出成形によって形成されると共に、
射出成形において樹脂材料の流入口となるゲート部は前記位置決め部の先端面に対応する位置に開口する
ことを特徴とするイメージセンサユニット。
【請求項１０】
前記光入射面は、前記導光体の長手方向の両方の端面に形成され、
前記光源は、前記導光体の長手方向の両方の端部に配設される
ことを特徴とする請求項９に記載のイメージセンサユニット。
【請求項１１】
前記ゲート部は、凹凸を備えている
ことを特徴とする請求項９又は１０に記載のイメージセンサユニット。
【請求項１２】
前記先端面の周辺はＲ面取りまたはＣ面取りされている
ことを特徴とする請求項９乃至１１のいずれか１項に記載のイメージセンサユニット。
【請求項１３】
イメージセンサユニットと被照明体とを相対的に移動させながら、前記被照明体からの反射光を読み取る画像読取装置であって、
前記イメージセンサユニットは、請求項５乃至１２のいずれか１項に記載のイメージセンサユニットである
ことを特徴とする画像読取装置。
【請求項１４】
イメージセンサユニットと被照明体とを相対的に移動させながら、前記被照明体からの反射光を読み取る画像読取手段と、
記録媒体に画像を形成する画像形成手段と、
を備える画像形成装置であって、
前記イメージセンサユニットは、請求項５乃至１２のいずれか１項に記載のイメージセンサユニットである
ことを特徴とする画像形成装置。
【手続補正２】
【補正対象書類名】明細書
【補正対象項目名】０００５
【補正方法】変更
【補正の内容】
【０００５】
本発明の照明装置は、棒状に形成され、長手方向の一方の端部に形成される位置決め部と長手方向の前記一方の端面に形成される光入射面とを有する導光体と、前記導光体の長手方向の前記一方の端部に配設され、前記光入射面に光を入射する光源と、を有し、前記導光体は射出成形によって形成されると共に、射出成形において樹脂材料の流入口となるゲート部は前記位置決め部の先端面に対応する位置に開口することを特徴とする。
【手続補正３】
【補正対象書類名】明細書
【補正対象項目名】０００６
【補正方法】変更
【補正の内容】
【０００６】
前記光入射面は、前記導光体の長手方向の両方の端面に形成され、前記光源は、前記導光体の長手方向の両方の端部に配設される構成が好ましい。前記ゲート部は、凹凸を備えている構成が好ましい。前記先端面の周辺はＲ面取りまたはＣ面取りされていることが好ましい。
【手続補正４】
【補正対象書類名】明細書
【補正対象項目名】０００７
【補正方法】変更
【補正の内容】
【０００７】
本発明のイメージセンサユニットは、棒状に形成され、長手方向の一方の端部に形成される位置決め部と長手方向の前記一方の端面に形成される光入射面とを有する導光体と、前記導光体の長手方向の前記一方の端部に配設され、前記光入射面に光を入射する光源と、被照明体からの反射光を集光する集光体と、前記集光体によって集光された反射光を受光して電気信号に変換するイメージセンサと、前記イメージセンサが実装された回路基板と、前記導光体と、前記光源と、前記集光体と、前記回路基板とを支持するフレームと、を有し、前記導光体は射出成形によって形成されると共に、射出成形において樹脂材料の流入口となるゲート部は前記位置決め部の先端面に対応する位置に開口することを特徴とする。
【手続補正５】
【補正対象書類名】明細書
【補正対象項目名】０００８
【補正方法】変更
【補正の内容】
【０００８】
前記光入射面は、前記導光体の長手方向の両方の端面に形成され、前記光源は、前記導光体の長手方向の両方の端部に配設される構成が好ましい。前記ゲート部は、凹凸を備えている構成が好ましい。前記先端面の周辺はＲ面取りまたはＣ面取りされていることが好ましい。
【手続補正６】
【補正対象書類名】明細書
【補正対象項目名】０００９
【補正方法】変更
【補正の内容】
【０００９】
本発明のイメージセンサユニットは、棒状に形成され、長手方向の一方の端部に形成される位置決め部と長手方向の前記一方の端面に形成される光入射面とを有する導光体と、係合部を有し、前記係合部と前記位置決め部とが係合することにより前記導光体に位置決めされた導光体カバーと、前記導光体の長手方向の前記一方の端部に配設され、前記光入射面に光を入射する光源と、被照明体からの反射光を集光する集光体と、前記集光体によって集光された反射光を受光して電気信号に変換するイメージセンサと、前記イメージセンサが実装された回路基板と、前記導光体カバーと、前記光源と、前記集光体と、前記回路基板とを支持するフレームと、を有し、前記導光体は射出成形によって形成されると共に、射出成形において樹脂材料の流入口となるゲート部は前記位置決め部の先端面に対応する位置に開口することを特徴とする。
【手続補正７】
【補正対象書類名】明細書
【補正対象項目名】００１０
【補正方法】変更
【補正の内容】
【００１０】
前記光入射面は、前記導光体の長手方向の両方の端面に形成され、前記光源は、前記導光体の長手方向の両方の端部に配設される構成が好ましい。前記ゲート部は、凹凸を備えている構成が好ましい。前記先端面の周辺はＲ面取りまたはＣ面取りされていることが好ましい。